(57)【要約】【課題】  所定の強度と耐久性、生産性とコスト性の実現と、柔らで暖かい手触りと風合いの実現を可能とした腕立て伏せ運動器具を提供することを目的とする。【解決手段】  床面に当接する直線状の台座部と、手で把持するためのＵ字型のグリップ部とからなり、台座部とグリップ部は、丸芯で長手方向に繊維を有する直径１０乃至３５ｍｍのヤシ科のツル性植物である籐から構成され、前記グリップ部には、汗による滑りを防止するためと手触り感を向上させるための細ヒモ状の皮籐を巻き付けた。【選択図】図１
0003149374.tif 000002
【実用新案登録請求の範囲】
【請求項１】
床面に当接する直線状の台座部と、手で把持するためのＵ字型のグリップ部とからなり、台座部とグリップ部は、丸芯で長手方向に繊維を有する直径１０乃至３５ｍｍのヤシ科のツル性植物である籐から構成され、前記グリップ部には、汗による滑りを防止するためと手触り感を向上させるための細ヒモ状の皮籐を巻き付けて備えたことを特長とする腕立て伏せ運動器具
【請求項２】
該台座部を楕円状に形成したことを特長とする請求項１に記載の腕立て伏せ運動器具。
【考案の詳細な説明】
【技術分野】
【０００１】  本考案は、腕立て伏せ運動を効果的に行うことができる運動器具に関し、特に素材に籐を用いた腕立て伏せ運動器具に関する。
【背景技術】
【０００２】  従来、腕立て伏せ運動を効果的に行うことを目的とした運動器具は、Ｕ字型のスチールパイプと直線状のスチールパイプとから構成されたものがよく知られており、使用者は床に置いた運動器具のＵ字型のスチールパイプを把持して腕立て伏せ運動を行う。このような腕立て伏せ運動器具は、腕立て伏せ運動を効果的に行うとともに握力や手首の力の向上に有効である。例えば特開２００３−２１０６０８号公報の従来技術の記載（特許文献１）や、実用新案登録第３１２４４８３号公報の背景技術の記載（特許文献２）に開示されている。【０００３】
【特許文献１】  特開２００３−２１０６０８号公報
【特許文献２】  実用新案登録第３１２４４８３号公報
【考案の開示】
【考案が解決しようとする課題】
【０００４】  ところで、従来例の腕立て伏せ運動器具は、腕立て伏せ運動における使用者の体重や、運動時にかかる力に対して所定の安全強度と耐久性を得るためにスチールパイプで構成されている。この場合、床面の傷付き防止や運動器具を安定して使用するためにスチールパイプの端部には樹脂製の保護具が装着される。また、手で把持する部分のＵ字型のスチールパイプは冷たく硬く、さらに汗で滑り易いために樹脂製のクッションが装着される。このため、単にスチールパイプで構成されているとはいえ、それ相応の部品点数と相応の製造工程を経る必要があり、生産性の低下や相応してコストアップの要因となっていた。【０００５】  また、スチールパイプの錆止めと見た目向上のためにクロームメッキが施されるが、メッキの質が悪かったり厚みが薄い場合は短期間に錆が生じ、見た目や使用感、強いては耐久性の低下といった問題が生じる。塗装を施した場合においても同様の問題が生じる。【０００６】  そこで、本考案は上記した課題を考慮し、腕立て伏せ運動器具を籐で構成したことにより、所定の強度と耐久性、生産性とコスト性の実現と、柔らで暖かい手触りと風合いの実現を可能とした腕立て伏せ運動器具を提供することを目的とするものである。
【課題を解決するための手段】
【０００７】  床面に当接する直線状の台座部と、手で把持するためのＵ字型のグリップ部とからなり、台座部とグリップ部は、丸芯で長手方向に繊維を有する直径１０乃至３５ｍｍのヤシ科のツル性植物である籐から構成され、前記グリップ部には、汗による滑りを防止するためと手触り感を向上させるための細ヒモ状の皮籐を巻き付けて備えたことで解決される。【０００８】  また、該台座部を楕円状に形成したことで解決される。
【考案の効果】
【０００９】  床面に当接する直線状の台座部と、手で把持するためのＵ字型のグリップ部とからなり、台座部とグリップ部は、丸芯で長手方向に繊維を有する直径１０乃至３５ｍｍのヤシ科のツル性植物である籐から構成され、前記グリップ部には、汗による滑りを防止するためと手触り感を向上させるための細ヒモ状の皮籐を巻き付けて備えて構成したので、籐の繊維方向の引っ張り強度が非常に強くしなやかで折れにいという特長によって腕立て伏せ運動器具としての所定の強度と耐久性を得ることを可能とした。また、籐の軽量で切断も極めて容易であることと、スチームやバーナーで加熱することにより容易に曲げることが可能という特長によって、生産性の向上とそれに相応してコストの低減を可能とした。さらに、籐の持つ柔らで暖かい手触りによって、スチールパイプのように樹脂製の保護具を用いなくても床面に傷を付けることなく、冷たさを感じさせない快適な使用感を得ることを可能とした。そしてその風合いは室内のインテリアにおいても優しく調和するといった優れた効果を呈するものである。【００１０】  また、台座部を楕円状に形成したことでさらなるデザイン性の向上やバリエーション展開の柔軟性を可能としたのである。
【考案を実施するための最良の形態】
【００１１】  次に、本考案の腕立て伏せ運動器具について、図面を参照して詳細に説明する。図１は本考案の全体図、図２は側面図、図３は平面図である。（１）は本考案の腕立て伏せ運動器具であり、床面に当接する直線状の台座部（２ａ）と、手で把持するためのＵ字型のグリップ部（２ｂ）とからなり、台座部（２ａ）とグリップ部（２ｂ）は、丸芯で長手方向に繊維を有する直径１０乃至３５ｍｍのヤシ科のツル性植物である籐から構成されている。また、前記グリップ部（２ｂ）には、汗による滑りを防止するためと手触り感を向上させるための細ヒモ状の皮籐（２ｃ）を巻き付けて備えた。【００１２】  図２に示されるように、台座部（２ａ）とグリップ部（２ｂ）は、固定手段（３）によって結合される。本考案においては台座部（２ａ）の長手方向中央の下方から反対側に貫通しないように孔を開けグリップ部（２ｂ）端部の中心に接着剤を用いるとともに木ネジで締め付けて固定した。また、固定手段（３）は台座部（２ａ）とグリップ部（２ｂ）同士が所定の強度を持って確実に固定されれば良いので、ほぞ式、だぼ式など公知の固定手段を用いてもよいことはいうまでもない。【００１３】  このように本考案の腕立て伏せ運動器具は、その構成する素材に籐を用いたことを大きな特徴とする。籐は日本には自生せず、インドネシア・マレーシア・フィリピンなどの東南アジアやアフリカ、オーストラリアの熱帯・亜熱帯などのジャングルに自生するヤシ科のツル性植物である。籐の繊維は植物中最長かつ最強といわれ、繊維方向の引っ張り強度は非常に強くしなやかで折れにいという特徴を持つので、腕立て伏せ運動器具としての所定の強度と耐久性を実現することを可能とした。【００１４】  また、軽量で切断も極めて容易で、スチームやバーナーで加熱することにより容易に曲げることが可能なため、生産性の向上とそれに相応してコストの低減を図ることを可能とした。【００１５】  さらに、籐自体の持つ柔らで暖かい手触りは、スチールパイプのように床面に傷を付けることなく、冷たさを感じさせない快適な使用感を得ることを可能とし、その風合いは室内のインテリアにおいても優しく調和するといった優れた効果を呈することを可能とした。【００１６】  図４は本考案の第２の実施例を示したもので、台座部（２ａ）を楕円状に形成したものである。スチームやバーナーで加熱することにより容易に曲げることが可能という籐の特長によって、形状を柔軟に成形することが可能であるのでさらなるデザイン性の向上やバリエーション展開の柔軟性を可能としたのである。
を実現させることを可能とした。
【図面の簡単な説明】
【００１７】
【図１】本考案の全体図である。
【図２】図１の側面図である。
【図３】図１の平面図である。
【図４】本考案の第２の実施例を示す図である。
【符号の説明】
【００１８】      １          腕立て伏せ運動器具
２ａ        台座部
２ｂ        グリップ部
３          固定手段
【図１】
0003149374.tif 000003
【図２】
0003149374.tif 000004
【図３】
0003149374.tif 000005
【図４】
0003149374.tif 000006